(57)【要約】  ボトムシャーシ（２）の底板部（２０）から筐体（１）の内部側へ切り起こされた部品取付部（２１）を用いて、基板（７）をねじ（８）で固定する。部品取付部（２１）を切り起こすことにより形成された開口部（２２）は、リアシャーシ（５）を組み付けることにより塞がれ、弾性片（５２）によりボトムシャーシ（２）とリアシャーシ（５）とが接触する。
2017022066.tif 000002
【特許請求の範囲】
【請求項１】
開口部を形成して筐体内部側へ切り起こされ前記開口部に対向する位置に部品固定用のねじ孔が設けられた部品取付部を有する第１板金部材から成る基面と、
一端が自由端として筐体内部側へ切り起こされた弾性片を有する板部及び前記板部から曲げられた側板部を有する第２板金部材の、前記側板部から成る側面とを備え、
前記第２板金部材の前記板部は、前記第１板金部材に筐体外部側でオーバラップして前記開口部を塞ぐとともに、前記弾性片の自由端である端部が筐体外部側から内部側へ前記開口部を通って前記開口部の縁部に接触することを特徴とする電子機器の筐体。
【請求項２】
前記弾性片は、前記端部に設けられた突起部で、前記開口部の縁部に接触することを特徴とする請求項１記載の電子機器の筐体。
【発明の詳細な説明】
【技術分野】
【０００１】
この発明は、部品を保持する電子機器の筐体に関するものである。
【背景技術】
【０００２】
従来、電子機器の組立時には、筐体の内部底面にかしめ等により取り付けられた円筒状のポストを用いて、基板等の部品を筐体に固定していた。円筒状のポストの内周面には、雌ねじが形成されている。この円筒状のポストにねじ孔の形成された部品を載せ、両者をねじ止めすることにより、ポストを介して筐体に部品を固定する。しかし、筐体とは別体のポストを用いることで、部品点数及びコストの増加を招くという懸念があった。
これに対し、例えば特許文献１に記載の構成では、ポストを用いることなく基板を固定している。この引用文献１には、具体的に、板金フレームの一部を切り起こして折り曲げ、プリント基板取付部とする構成が記載されている。板金フレームに基板が直接取り付けられることで、基板の接地も可能となっている。そして、切り起こしにより板金フレームに開けられた孔は、外部からの異物の侵入口とも成り得るが、カバー部材により塞がれる構成となっている。
【先行技術文献】
【特許文献】
【０００３】
【特許文献１】特開２００６―１９６７７３号公報
【発明の概要】
【発明が解決しようとする課題】
【０００４】
上記特許文献１に記載の構成は、ポストは不要となるものの、板金フレームの孔を塞ぐために専用のカバー部材を別に用意する必要があった。また、板金フレームと基板同士に加え、板金フレーム同士の電気的な導通を確保することでＥＭＣ（Ｅｌｅｃｔｒｏ  Ｍａｇｎｅｔｉｃ  Ｃｏｍｐａｔｉｂｉｌｉｔｙ）を強化できる余地があるが、そのためには導電性ガスケット等を用意し、板金フレームで挟んだ構成とすることが一般的に多い。
このように、ＥＭＣの強化及び異物対策のためには、専用の別部材を用意する必要があり、部品点数及びコストの増加につながるという課題があった。
また、上記特許文献１に記載の構成は、その構成上、板金フレームにカバー部材をはめた後に、プリント基板をプリント基板取付部にねじ止めすることとなる。従って、このカバー部材は、外部からの異物侵入の防止という点で効果的ではあるが、異物であるねじ締め時の金属くずを、外部へ排出させずに内部に留めてしまうものでもあった。【０００５】
この発明は、上記のような課題を解決するためになされたもので、ポストを設けなくても部品を固定でき、筐体を形成する部材同士の組付けによってＥＭＣの強化及び異物対策を行うことができる電子機器の筐体を得ることを目的とする。
【課題を解決するための手段】
【０００６】
この発明に係る電子機器の筐体は、開口部を形成して筐体内部側へ切り起こされ開口部に対向する位置に部品固定用のねじ孔が設けられた部品取付部を有する第１板金部材から成る基面と、一端が自由端として筐体内部側へ切り起こされた弾性片を有する板部及び板部から曲げられた側板部を有する第２板金部材の、側板部から成る側面とを備え、第２板金部材の板部は、第１板金部材に筐体外部側でオーバラップして開口部を塞ぐとともに、弾性片の自由端である端部が筐体外部側から内部側へ開口部を通って開口部の縁部に接触することを特徴とするものである。
【発明の効果】
【０００７】
この発明によれば、ポストを設けなくても部品を固定でき、筐体を形成する部材同士の組付けによってＥＭＣの強化及び異物対策を行うことができる。
【図面の簡単な説明】
【０００８】
【図１】この発明の実施の形態１に係る電子機器の筐体の分解斜視図である。
【図２】この発明の実施の形態１に係る電子機器の筐体の一部破断斜視図である。
【図３】図２の一部を拡大した図である。
【図４】この発明の実施の形態１に係る電子機器の筐体の断面図である。
【発明を実施するための形態】
【０００９】
以下、この発明をより詳細に説明するために、この発明を実施するための形態について、添付の図面に従って説明する。
実施の形態１． 
図１に、この発明の実施の形態１に係る電子機器の筐体１の分解斜視図を示す。筐体１は、例えばカーナビゲーション機器の筐体として使用される。筐体１は、ボトムシャーシ２とトップシャーシ３とフロントシャーシ４とリアシャーシ５とサイドシャーシ６とを有し、例えば基板７等の部品をその内部で保持する。筐体１の各シャーシは、例えば板金を適宜加工して作られる。
【００１０】
ボトムシャーシ２は、いわゆるＺ曲げにより底板部２０から筐体１の内部側へ切り起こされた部品取付部２１を有する。部品取付部２１は、開口部２２の縁部から継ぎ目無くボトムシャーシ２の底板部２０と一体で連続的に、筐体１の内部側へ略垂直に立ち上がる壁部２１ａと、壁部２１ａの先端部から継ぎ目無く壁部２１ａと一体で連続的に、底板部２０に対し略平行に伸びる載置部２１ｂとを有する。載置部２１ｂには、バーリング加工及びタップ加工により、基板７等の部品固定用のねじ孔２１ｃが形成されている。
部品取付部２１を切り起こすことにより、ボトムシャーシ２には、開口部２２が形成されている。ねじ孔２１ｃは、開口部２２に対向する。
ボトムシャーシ２は、筐体１の第１板金部材である。
【００１１】
トップシャーシ３は、ボトムシャーシ２と対向して設けられる。
フロントシャーシ４及びサイドシャーシ６は、ボトムシャーシ２及びトップシャーシ３に対して略垂直に設けられる。なお、サイドシャーシ６は、ボトムシャーシ２及びフロントシャーシ４と略垂直に設けられ、互いに対向する一対のシャーシで構成されるが、そのうちの１つは不図示としている。フロントシャーシ４及びサイドシャーシ６は、例えば一枚の板金を折り曲げることで、ボトムシャーシ２と一体的に作られる。
【００１２】
リアシャーシ５は、フロントシャーシ４と対向して設けられる。リアシャーシ５は、ボトムシャーシ２の底板部２０にオーバラップして組み付けられる板部５０と、板部５０から曲げられて略垂直に立ち上がる側板部５１とを有する。板部５０は、底板部２０に対し、筐体１の外部側に組み付けられる。
板部５０は、一部が筐体１の内部側に切り起こされることで、板部５０から継ぎ目無く一体で連続的に筐体１の内部側に向けて伸びる弾性片５２を有する。弾性片５２は、一端が固定端として板部５０に連結され、他端は自由端となっている。自由端である端部には、筐体１の外部側に向けて凸の突起部５２ａが設けられている。
リアシャーシ５は、筐体１の第２板金部材である。
【００１３】
基板７は、ねじ８を用いてボトムシャーシ２に固定される。基板７には、ボトムシャーシ２に対して位置合わせがされた際に、部品取付部２１のねじ孔２１ｃと対向する孔７０が形成されている。つまり、部品取付部２１の載置部２１ｂに基板７を置き、ねじ８を孔７０に通してねじ孔２１ｃに回し入れることで、基板７が固定される。
【００１４】
このように、部品取付部２１を基板７等の部品の固定に用いることができるので、従来のようにボトムシャーシ２に円筒状のポストを取り付ける必要は無い。
また、ねじ締めの際に発生するねじ８の金属くずは、開口部２２から筐体１の外部へ排出され、筐体１の内部に留まることがない。このため、ねじ締めの際に金属くずが発生しやすいがコストの低いタイプのねじを、ねじ８として採用することができる。
なお、ボトムシャーシ２には、板部５０がオーバラップ可能な位置に、部品取付部２１が必要に応じて複数個設けられており、基板７は、必要に応じて複数箇所でねじ８を用いて固定される。
【００１５】
図２、図３及び図４は、図１に示す状態から基板７をねじ締めによりボトムシャーシ２に固定し、更にその後に、リアシャーシ５をボトムシャーシ２に組み付けたときの状態を示す図である。図２は一部破断斜視図、図３は図２中の部分Ａを拡大して示す図である。図４は、図２中の方向Ｂから見た際の断面図である。図２では、トップシャーシ３を不図示とした。
【００１６】
筐体１は、その基面がボトムシャーシ２から成り、基面に対する側面のうちの一面が、リアシャーシ５の側板部５１から成る。側面は、基面と略垂直に交わる筐体１を構成する面の１つである。なお、図示例では、ボトムシャーシ２から成る基面を、筐体１の底面として機能させているが、図示例のようにボトムシャーシ２から成る基面を底面として用いる構成に限るものではない。つまり、箱形の筐体１を構成する各面のいずれを、ボトムシャーシ２から成る基面としてもよい。例えば、ボトムシャーシ２から成る基面を、筐体１の天面として機能させてもよい。
【００１７】
リアシャーシ５は、弾性片５２の自由端である端部が開口部２２を筐体１の外部側から内部側へと通り、板部５０が筐体１の外部側で底板部２０にオーバラップする状態で、ボトムシャーシ２に組み付けられる。
リアシャーシ５がボトムシャーシ２に組み付けられると、側板部５１から略垂直に継ぎ目無く一体で連続的に伸びる板部５０により開口部２２が塞がれる。これにより、開口部２２を介して筐体１の内部へ異物が侵入するのを防ぐことができる。従来のように、開口部２２を塞ぐために専用のカバー部材を別に用意する必要は無い。
【００１８】
また、リアシャーシ５がボトムシャーシ２に組み付けられると、開口部２２を貫通した弾性片５２は弾性変形して、突起部５２ａで開口部２２の縁部にて底板部２０と接触する。これにより、ボトムシャーシ２とリアシャーシ５との間で着実に導通を確保し、ＥＭＣを強化することができる。
なお、突起部５２ａを設けずに、弾性片５２の端部と底板部２０とを接触させてもよい。また、底板部２０に突起部５２ａが嵌り込む凹部を設け、突起部５２ａをダボとして機能させることで、リアシャーシ５をボトムシャーシ２から抜けにくくすることができる。
【００１９】
上記では、弾性片５２の自由端である端部が、筐体１の外部側から内部側へと開口部２２を通り、板部５０が、筐体１の外部側で開口部２２を塞ぐ場合の構成を示した。つまり、リアシャーシ５の板部５０が、ボトムシャーシ２の底板部２０よりも外部側に組み付けられる構成の筐体への適用を想定した。しかしながら、リアシャーシ５の板部５０が、ボトムシャーシ２の底板部２０よりも内部側に組み付けられる構成の筐体であってもよい。この場合、弾性片５２の自由端である端部が、筐体１の内部側から外部側へと開口部２２を通り、板部５０が、筐体１の内部側で開口部２２を塞ぐ構成とすればよい。
【００２０】
以上のように、この実施の形態１に係る電子機器の筐体１によれば、ボトムシャーシ２の底板部２０から筐体１の内部側へ切り起こされた部品取付部２１を用いて、基板７をねじ８で固定する。そして、部品取付部２１により形成された開口部２２は、リアシャーシ５を組み付けることにより塞がれ、弾性片５２によりボトムシャーシ２とリアシャーシ５とが接触する。従って、ポストを設けなくても基板７等の部品を固定でき、また、別部材を新たに設けることなく、ボトムシャーシ２とリアシャーシ５の組付けによって、ＥＭＣの強化及び異物対策を行うことができる。これにより、部品点数の削減及びコスト削減が可能となる。また、電子機器の小サイズ化にも寄与する。
【００２１】
また、弾性片５２は、その端部に設けられた突起部５２ａで、開口部２２の縁部に接触することとした。従って、より着実にボトムシャーシ２とリアシャーシ５とを接触させることができる。
【００２２】
なお、本願発明はその発明の範囲内において、実施の形態の任意の構成要素の変形、もしくは実施の形態の任意の構成要素の省略が可能である。
【産業上の利用可能性】
【００２３】
以上のように、この発明に係る電子機器の筐体は、ポストを設けなくても基板等の部品を固定でき、筐体を形成する部材同士の組付けによってＥＭＣの強化及び異物対策を行うことができるので、カーナビゲーション機器等の筐体として用いるのに適している。
【符号の説明】
【００２４】
１  筐体、２  ボトムシャーシ、３  トップシャーシ、４  フロントシャーシ、５  リアシャーシ、６  サイドシャーシ、７  基板、８  ねじ、２０  底板部、２１  部品取付部、２１ａ  壁部、２１ｂ  載置部、２１ｃ  ねじ孔、２２  開口部、５０  板部、５１  側板部、５２  弾性片、５２ａ  突起部、７０  孔。
【図１】
2017022066.tif 000003
【図２】
2017022066.tif 000004
【図３】
2017022066.tif 000005
【図４】
2017022066.tif 000006
【国際調査報告】
2017022066.tif 000007
2017022066.tif 000008
2017022066.tif 000009
2017022066.tif 000010